(57)【特許請求の範囲】
【請求項１】
登録装置ならびに第１および第２の機器を含むシステムにおける機器の登録方法であって、
前記第１の機器が、個人に関する情報である第１の情報を格納するステップと、
前記第２の機器が、個人に関する情報である第２の情報を前記第１の機器に送信するステップと、
前記第１の機器が、前記第２の機器から受信した前記第２の情報と、前記第１の情報とが一致するか否かを判断するステップと、
前記判断の結果、両情報が一致する場合、前記第１の機器が、前記第２の機器による前記登録装置へのアクセスが可能となるように、前記第２の機器のアクセス許可の登録を前記登録装置に指示するステップと、
前記登録装置が、前記指示を受けたときに、前記第２の機器が前記登録装置へアクセスできるように前記第２の機器に対するアクセス許可を登録するステップと、
を有する機器登録方法。
【請求項２】
前記指示するステップにおいて前記両情報が一致する場合、さらに、前記第１の機器が、前記登録装置の接続情報を前記第２の機器に送信する、請求項１記載の機器登録方法。
【請求項３】
前記第２の機器が、前記第１の機器から受信した前記接続情報に従って前記登録装置に接続するステップと、
前記第２の機器が、前記登録装置に接続した後、前記登録装置へ画像を送信するステップと
をさらに有する請求項２記載の機器登録方法。
【請求項４】
前記登録装置へ画像を送信するステップにおいて、前記第２の機器は、格納している画像の中から前記第２の情報を検索キーとして抽出した画像を送信する
ことを特徴とする請求項３に記載の機器登録方法。
【請求項５】
前記個人に関する情報は、個人の顔を含む画像、または前記画像から抽出した顔の特徴を示す情報である、ことを特徴とする請求項１に記載の機器登録方法。
【請求項６】
前記個人に関する情報は個人の電話番号またはメールアドレスである、ことを特徴とする請求項１に記載の機器登録方法。
【請求項７】
前記登録装置は、映像表示装置、映像再生装置または映像記録装置のいずれか１つである、請求項１記載の機器登録方法。
【請求項８】
前記第１の機器及び／または第２の機器は携帯電話または撮像装置のいずれかである、請求項１記載の機器登録方法。
【請求項９】
第１および第２の機器を含むシステムにおける機器の登録方法であって、
前記第１の機器が、第１の情報を格納するステップと、
前記第２の機器が、第２の情報を前記第１の撮影機器に送信するステップと、
前記第１の機器が、前記第２の機器から受信した前記第２の情報と、前記第１の情報とが一致するか否かを判断するステップと、
前記判断の結果、両情報が一致する場合、前記第１の機器が、前記第２の機器に対する前記第１の機器への接続の許可を登録するステップと
を有する機器登録方法。
【請求項１０】
前記第１及び第２の情報は、個人の顔を含む画像、または前記画像から抽出した顔の特徴を示す情報である、ことを特徴とする請求項９に記載の機器登録方法。
【請求項１１】
個人に関する情報である第１の情報を格納する格納手段を備えた第１の機器と、
個人に関する情報である第２の情報を送信する送信手段を備えた第２の機器と、
アクセス許可の登録を行う登録装置とを備え、
前記第２の機器は前記第２の情報を前記第１の機器に送信し、
前記第１の機器は、
前記第２の機器から受信した前記第２の情報と、前記第１の情報とが一致するか否かを判断する判断手段と、
前記判断の結果、両情報が一致する場合、前記第２の機器による前記登録装置へのアクセスが可能となるように、前記第２の機器のアクセス許可の登録の指示を前記登録装置に送信する送信手段とを有する、
機器登録システム。
【請求項１２】
前記第１の機器は、前記両情報が一致する場合、さらに、前記登録装置の接続情報を前記第２の機器に送信する、請求項１１記載の機器登録システム。
【請求項１３】
前記第２の機器は、前記第１の機器から受信した前記接続情報に従って前記登録装置に接続し、その後、前記登録装置へ画像を送信する、請求項１２記載の機器登録システム。
【請求項１４】
前記個人に関する情報は、個人の顔を含む画像、または前記画像から抽出した顔の特徴を示す情報である、ことを特徴とする請求項１１に記載の機器登録システム。
【請求項１５】
前記個人に関する情報は個人の電話番号またはメールアドレスである、ことを特徴とする請求項１１に記載の機器登録システム。
【請求項１６】
前記登録装置は、映像表示装置、映像再生装置または映像記録装置のいずれか１つである、請求項１１記載の機器登録システム。
【請求項１７】
前記第１の機器及び／または第２の機器は携帯電話または撮像装置のいずれかである、請求項１１記載の機器登録システム。
【請求項１８】
個人に関する情報である第１の情報を格納する記憶手段と、
他の機器から、個人に関する情報である第２の情報を受信する受信手段と、
前記第２の情報と前記第１の情報とが一致するか否かを判断する判断手段と、
前記判断の結果、両情報が一致する場合、前記他の機器による登録装置へのアクセスが可能となるように、前記他の機器のアクセス許可の登録の指示を前記登録装置に送信する送信手段とを備える、
電子機器。
【請求項１９】
前記個人に関する情報は、個人の顔を含む画像、または前記画像から抽出した顔の特徴を示す情報である、ことを特徴とする請求項１８に記載の電子機器。
【請求項２０】
携帯電話または撮像装置のいずれかである、請求項１８記載の電子機器。
【発明の詳細な説明】
【技術分野】
【０００１】
本発明は、デジタルカメラ、カメラ機能付き携帯電話、テレビ、レコーダ等のいわゆるデジタル家電機器における機器登録方法及び機器登録システムに関する。
【背景技術】
【０００２】
近年、一般家庭内においてもネットワークが普及し、ネットワークに接続可能なテレビ、レコーダ、デジタルカメラ等の電子機器が販売されている。ユーザはこれらの電子機器をネットワークに接続することで、データの共有化が可能となりユーザの利便性を向上できる。
【０００３】
ネットワークを介した機器同士の連携においては、不正アクセス等を防止する観点から、ある機器に対してアクセス可能な機器を登録する処理である、いわゆる「ペアリング」が必要となる。従来、ペアリングは例えば次のように行われる。まず、アクセス許可の登録を行う機器はネットワーク上に接続された機器を検索する。アクセス許可の登録を行う機器は、ネットワーク上で発見された複数の機器のリストをユーザに提示する。アクセス許可の登録を行う機器は、そのリストの中からユーザにより選択された機器に対してアクセス許可を登録する。この方法では、機器同士の認証のために、ユーザは、アクセス許可の登録を行う機器を登録モードに設定し、提示された機器リストから相手機器を選択し、パスワードを入力するという操作を行う必要があった。特許文献１では、そのような機器リストを予め保持しておき、保持された機器リストから相手機器を選択し、機器同士の認証を行う技術が開示されている。
【先行技術文献】
【特許文献】
【０００４】
【特許文献１】特開２０００−１５１８７１号公報
【発明の概要】
【発明が解決しようとする課題】
【０００５】
上述した従来の方法では、ユーザは、機器リスト中のそれぞれの項目がどの機器に対応しているかを事前に把握しておく必要があり、ユーザにとって使い勝手が良いものではなかった。
【０００６】
本発明は、上記課題を解決すべくなされたものであり、その目的とするところは、ユーザの使い勝手が良い機器の登録方法及び機器登録システムを提供することにある。
【課題を解決するための手段】
【０００７】
本発明の第１の態様において、登録装置ならびに第１および第２の機器を含むシステムにおける機器の登録方法が提供される。その機器の登録方法によれば、第１の機器は、個人に関する情報である第１の情報を格納する。第２の機器は、個人に関する情報である第２の情報を第１の機器に送信する。第１の機器は、第２の機器から受信した第２の情報と、第１の情報とが一致するか否かを判断する。判断の結果、両情報が一致する場合、第１の機器は、第２の機器による登録装置へのアクセスが可能となるように、第２の機器のアクセス許可の登録を登録装置に指示する。登録装置は、指示を受けたときに、第２の機器が登録装置へアクセスできるように第２の機器に対するアクセス許可を登録する。
【０００８】
本発明の第２の態様において、第１および第２の機器を含むシステムにおける機器の登録方法が提供される。第１の機器は、第１の情報を格納する。第２の機器は、第２の情報を第１の機器に送信する。第１の機器は、第２の機器から受信した第２の情報と、第１の情報とが一致するか否かを判断する。判断の結果、両情報が一致する場合、第１の機器は、第２の機器に対する第１の機器への接続の許可を登録する。
【０００９】
本発明の第３の態様において、機器登録システムが提供される。機器登録システムは、個人に関する情報である第１の情報を格納する格納手段を備えた第１の機器と、個人に関する情報である第２の情報を送信する送信手段を備えた第２の機器と、アクセス許可の登録を行う登録装置とを備える。第２の機器は、第２の情報を前記第１の機器に送信する。第１の機器は、第２の機器から受信した第２の情報と、第１の情報とが一致するか否かを判断する判断手段と、判断の結果、両情報が一致する場合、第２の機器による登録装置へのアクセスが可能となるように、第２の機器のアクセス許可の登録の指示を登録装置に送信する送信手段とを有する。
【００１０】
本発明の第４の態様において、個人に関する情報である第１の情報を格納する記憶手段と、他の機器から、個人に関する情報である第２の情報を受信する受信手段と、第２の情報と前記第１の情報とが一致するか否かを判断する判断手段と、判断の結果、両情報が一致する場合、他の機器による登録装置へのアクセスが可能となるように、他の機器のアクセス許可の登録の指示を登録装置に送信する送信手段とを備える。
【発明の効果】
【００１１】
本発明によれば、従来の相手機器の指定とパスワードによる認証が、個人（例えば、登録装置の所有者）に関した情報（例えば、顔情報）で可能となり、直感的な操作で機器登録が完了できるため、ユーザの利便性が向上する。
【００１２】
さらに、機器登録完了後、機器登録に使用した顔情報を続けて利用するアプリケーションと関連付けることでユーザに効果的な楽しみ方を提供可能となる。
【図面の簡単な説明】
【００１３】
【図１】実施の形態における機器間の接続関係の一例を示す図
【図２】実施の形態における携帯電話（登録認証機器）の構成を示すブロック図
【図３】実施の形態における携帯電話（被登録機器）の構成を示すブロック図
【図４】実施の形態におけるペアリング手順（ケース１）を示すシーケンス図
【図５】実施の形態におけるペアリング手順（ケース２）を示すシーケンス図
【図６】テレビと携帯電話との連携動作を説明したシーケンス図
【図７】テレビと携帯電話との別の連携動作を説明したシーケンス図
【発明を実施するための形態】
【００１４】
以下、本発明の実施形態について図面を参照しながら説明する。以下に説明する実施形態は、ある機器（被登録機器）が他の機器（登録装置）へアクセスできるように、ある機器を他の機器へ登録する機器登録方法及びそれを実現するシステムを説明する。特に、本実施形態では、所定の人物（例えば、登録装置の所有者）に関する情報を、機器の登録において被登録機器の認証情報として用いる。これにより、後述するように容易な操作で機器登録が可能となり、機器登録におけるユーザの利便性を向上できる。
【００１５】
実施の形態１
１．構成
図１は、本発明の実施の形態１における機器間の接続の一例を示した図である。携帯電話１００と携帯電話２００とテレビ３００とは、ネットワーク（例えば、無線ＬＡＮ）を介して接続可能である。テレビ３００は、携帯電話１００、２００から画像を受信し、受信した画像を画面に表示する機能を備えている。
【００１６】
１．１  前提条件
後述する説明においては以下の状況を想定する。
テレビ３００と携帯電話１００の所有者はユーザＡであり、携帯電話２００の所有者はユーザＡの友人であるユーザＢである。テレビ３００はユーザＡの自宅にあり、携帯電話１００はテレビ３００とペアリングが完了済みで、携帯電話１００からテレビ３００へ写真を表示することが可能となっている。ペアリングとは、前述のようにネットワークを介して通信を行うためにセキュリティ上必要な処理であって、ある機器（例えば、テレビ３００）において他の機器（携帯電話１００、２００）に対するアクセス許可を登録する処理である。テレビ３００における写真閲覧アプリケーション（後述）の実行において、テレビ３００と携帯電話１００、２００とのペアリングが完了していることが必要である。携帯電話２００は、携帯電話１００とはペアリングが完了しているが、テレビ３００とのペアリングは未だ行われていないとする。
【００１７】
以上の想定の下、ユーザＢがユーザＡの自宅を訪れ、ユーザＡ及びユーザＢが、お互いの携帯電話において記録している画像をテレビ３００に表示し、閲覧して楽しむ場合について説明する。この場合、テレビ３００並びに携帯電話１００及び携帯電話２００において、写真閲覧アプリケーションが実行される。写真閲覧アプリケーションは、携帯電話１００及び携帯電話２００に格納されている画像をテレビ３００上で閲覧可能とするアプリケーションである。
【００１８】
なお、以下では説明の簡単化のために、ユーザＢの携帯電話２００は１台のみとしているが、これに限らず、携帯電話２００と同様の携帯電話が他に１台以上存在していても構わない。すなわち、以下に説明する思想は、ユーザＡの自宅へ、複数の友人がそれぞれ携帯電話を持ってきた場合や、一人の友人が複数の携帯電話を持ってきた場合にも適用可能である。
【００１９】
また、システムの構成要素としてテレビと携帯電話を例に挙げて説明したが、テレビ３００に相当する機器として、光ディスクプレーヤのような映像再生装置、光ディスクレコーダ、ハードディスクレコーダのような映像記録装置、パソコンのような情報処理装置であっても構わない。また、携帯電話１００、２００に相当する機器として、デジタルカメラ、ムービーカメラのような撮像装置、ＰＤＡ（Ｐｅｒｓｏｎａｌ  Ｄｉｇｉｔａｌ  Ａｓｓｉｓｔａｎｔ）、パソコンのような情報処理装置であってもよい。すなわち、携帯電話１００、２００に相当する機器として、画像の撮影機能及び通信機能を有した機器が考えられる。
【００２０】
１．２  携帯電話の構成
図２を用いて、ユーザＡの携帯電話１００の構成について説明する。図２は、携帯電話１００の構成を示すブロック図である。
【００２１】
携帯電話１００は、撮影部１０１、プロフィール登録部１０２、顔情報抽出部１０３、顔情報認証部１０４、送受信部１０５、写真アプリ制御部１１０、及びテンポラリアクセス制御部１２０により構成されている。
【００２２】
撮影部１０１は、携帯電話１００の撮影機能を司る部分であり、レンズ、撮像素子、メモリ、ディスプレイ、及び、これらを制御するソフトウェアなどで構成される。
【００２３】
プロフィール登録部１０２は、携帯電話１００の所有者のプロフィール情報を携帯電話１００内に登録する手段である。本実施形態では、所有者のプロフィール情報として所有者の顔画像の情報をメモリに格納する。プロフィール登録部１０２は、撮影部１０１で撮影された所有者の顔画像の情報をメモリの所定の領域へ記録する制御プログラムと、それを実行するハードウェア（ＣＰＵ等）とで実現される。なお、ここで記録する情報は撮影した画像そのものであっても良いし、後述する顔情報抽出部１０３で抽出した、顔の特徴を示す情報である顔情報であっても良い。
【００２４】
顔情報抽出部１０３は、画像から顔と思われる部分を抽出し、その顔の特徴を所定のパラメータに置き換えて顔情報として抽出するプログラムとそれを実行するハードウェア（ＣＰＵ等）とで実現される。
【００２５】
顔情報認証部１０４は、後述する送受信部１０５を介して送信されてきた画像あるいは顔情報と、プロフィール登録部１０２で登録された顔画像または顔情報とを比較し、画像上の人物が同一人物かどうかを判別するプログラムと、それを実行するハードウェア（ＣＰＵ等）とで実現される。
【００２６】
送受信部１０５は、テレビ３００や他の携帯電話２００などの他の機器と通信するためのネットワークインタフェースや通信処理プログラムである。
【００２７】
写真アプリ制御部１１０は、携帯電話１００内に記録した画像を、送受信部１０５を介してテレビ３００などの外部機器へ表示するためのアプリケーションである写真閲覧アプリケーションを制御するプログラムとそれを実行するハードウェア（ＣＰＵ等）とで実現される。
【００２８】
テンポラリアクセス制御部１２０は、自宅のテレビ３００とペアリングが完了していない他の携帯電話からテレビ３００へ一時的に画像を表示可能とするためのテンポラリアクセスを可能とするための制御プログラムとそれを実行するハードウェア（ＣＰＵ等）とで実現される。
【００２９】
次に、図３を用いて、ユーザＢの携帯電話２００の構成について説明する。図３は、本発明の実施の形態１における携帯電話２００の構成を示すブロック図である。
【００３０】
携帯電話２００は、撮影部２０１、顔情報抽出部２０３、顔情報認証部２０４、送受信部２０５、写真アプリ制御部２１０、及び写真サーチ部２３０により構成されている。
【００３１】
撮影部２０１は、携帯電話２００の撮影機能を司る部分であり、レンズ、撮像素子、メモリ、ディスプレイ、及び、これらを制御するソフトウェアなどからなる。
【００３２】
顔情報抽出部２０３は、撮影部２０１で得られた画像から顔と思われる部分を抽出し、その顔の特徴を所定のパラメータに置き換えて顔情報として抽出するプログラムとそれを実行するハードウェア（ＣＰＵ等）で実現される。
【００３３】
顔情報認証部２０４は、撮影部２０１で撮影した画像あるいは顔情報抽出部２０３で抽出した顔情報を後述する送受信部２０５を介して携帯電話１００などの外部の機器に送付し、撮影した画像に写っている人物がそれらの外部の機器の所有者かどうかの認証結果を受信するプログラムとそれを実行するハードウェア（ＣＰＵ等）とで実現される。
【００３４】
送受信部２０５は、テレビ３００や携帯電話１００などの他の機器と通信するためのネットワークインタフェースや通信処理プログラムとそれを実行するハードウェア（ＣＰＵ等）とで実現される。
【００３５】
写真アプリ制御部２１０は、携帯電話２００内に記録した画像を、送受信部２０５を介してテレビ３００などの外部機器へ表示するための写真閲覧アプリケーションを制御するプログラムとそれを実行するハードウェア（ＣＰＵ等）とで実現される。
【００３６】
写真サーチ部２３０は、撮影部２０１で撮影した画像から抽出した顔情報に一致する顔が写っている画像を、携帯電話２００内に記録している画像の中から検索するプログラムとそれを実行するハードウェア（ＣＰＵ等）とで実現される。
【００３７】
なお、ここでは説明のため携帯電話１００と携帯電話２００を異なる構成としたが、上述したすべての手段を構成要素として保持し、携帯電話１００と携帯電話２００を同構成と成しても構わない。
【００３８】
２．動作
２．１  ペアリング手順
図４、図５を用いて携帯電話同士でのペアリング手順について説明する。図４、図５は、本発明の実施の形態１におけるペアリング手順を示すシーケンス図である。
【００３９】
２．１．１  プロフィール登録がある場合のペアリング手順
最初に、携帯電話１００に、その所有者のユーザＡのプロフィール登録（プロフィール情報の登録）がある場合（ケース１）のペアリング手順を説明する。図４は、プロフィール登録がある場合（ケース１）のペアリング手順を示した図である。なお、ペアリング開始にあたり、携帯電話１００の所有者のユーザＡは自分の顔の画像を撮影し、携帯電話１００におけるプロフィール登録を既に完了している（Ｓ４０１）。このとき、撮影部１０１で撮影された画像がプロフィール登録部１０２により携帯電話１００内に保存される。プロフィール登録は事前に一度行われていれば良く、ペアリングの度に行う必要は無い。
【００４０】
ペアリングの開始において、ユーザＢが携帯電話２００でユーザＡの顔を撮影する（Ｓ４０２）。撮影部２０１のディスプレイ上に撮影した画像が表示される。その際、撮影した画像に対する処理としていくつかの選択肢が表示され、その中に「この人の携帯電話と連携」という選択肢が含まれている。ユーザＢによりその選択肢が選択される（Ｓ４０３）と、顔情報抽出部２０３は撮影した画像の顔情報を抽出し、顔情報認証部２０４は、送受信部２０５を介してネットワーク上へ顔情報をブロードキャストし（Ｓ４０４）、その顔情報に相当する顔情報を含むプロフィール情報を持つ機器をサーチする。なお、携帯電話１００、２００において撮影される画像は静止画が好ましいが、動画であってもよい。
【００４１】
携帯電話１００は、携帯電話２００からブロードキャストされた顔情報を、送受信部１０５を介して受信し、顔情報認証部１０４により、プロフィール情報に登録された所有者と一致するかどうかを検索する（Ｓ４０５）。具体的には、顔情報抽出部１０３によりプロフィール情報の画像から顔情報を抽出し、顔情報認証部１０４が、抽出した顔情報と受信した顔情報とを比較する。抽出した顔情報と受信した顔情報とが一致する場合、すなわち、受信した顔情報人物がプロフィール情報に登録してある人物と一致する場合、顔情報認証部１０４は、送受信部１０５を介して携帯電話２００に対して、「登録あり」を示す応答を返す（Ｓ４０６）。このとき、顔情報認証部１０４は携帯電話２００のＭＡＣアドレスを登録する。
【００４２】
携帯電話２００は、携帯電話１００から「登録あり」を示す応答を受信することにより、携帯電話１００とペアリングが完了したことを認識する（Ｓ４０７）。ペアリング完了を認識すると、携帯電話２００は携帯電話１００のＭＡＣアドレスを登録する。
【００４３】
携帯電話１００においてプロフィール登録がある場合、以上のようにしてペアリングが実行される。
【００４４】
２．１．２  プロフィール登録がない場合のペアリング手順
次に、ユーザＡが携帯電話１００に予めプロフィール登録を行っていない場合（ケース２）、すなわち、ステップＳ４０１の処理が未だ実行されていない場合について図５を用いて説明する。
【００４５】
図５においてステップＳ４０２〜Ｓ４０５は図４のものと同じ処理である。携帯電話１００においてプロフィール登録がないため、ステップＳ４０５の処理の結果、該当する顔情報は無く、顔情報認証部１０４は応答を返さず、携帯電話１００はペアリング待ちモードに移行する（Ｓ４０８）。このペアリング待ちモードは、所定時間が経過すると解除される。
【００４６】
一方、顔情報を送信（Ｓ４０４）後、他の機器からの応答を待っていた携帯電話２００の顔情報認証部２０４は、所定時間が経過すると、応答の受信を待つことを中止する（Ｓ４０９）。このとき、携帯電話２００は、例えば「見つかりませんでした。相手の携帯電話で相手の方の顔を撮影してもらってください。」などと表示して、ユーザに携帯電話１００でのプロフィール登録の実行を促すとともに、ペアリング待ちモードへ移行する（Ｓ４１０）。
【００４７】
携帯電話２００の所有者ユーザＢがユーザＡへプロフィール登録を依頼し、ユーザＡは依頼に応じて携帯電話１００においてプロフィール登録を行う。このとき、携帯電話１００のプロフィール登録部１０２は、撮影した顔画像をプロフィール登録すると共に、携帯電話１００がペアリング待ちモードである場合は、顔情報抽出部１０３で顔画像から顔情報を抽出し、送受信部１０５を介して携帯電話２００へ送信する（Ｓ４１１）。このとき、顔情報認証部１０４は携帯電話２００のＭＡＣアドレスを登録する。これにより携帯電話１００におけるペアリングが完了する。なお、ステップＳ４１１において、所定の条件を満たす場合にのみ、顔情報を送信するようにしてもよい。所定の条件は、例えば、撮影した画像に顔が含まれていることが考えられる。また、以前に顔情報を受信した携帯電話２００に対してのみ送信する（ユニキャスト）のではなく、ネットワーク上にマルチキャストあるいはブロードキャストしても良い。
【００４８】
携帯電話２００がステップＳ４１０でペアリング待ちモードに入っている場合、送受信部２０５を介して他の機器から顔情報を受信したときに、顔情報認証部２０４は、受信した顔情報とステップＳ４０４で検索対象とした顔情報とが一致するか否かを比較する（Ｓ４１２）。一致する場合、携帯電話２００は、携帯電話１００のＭＡＣアドレスを登録して、携帯電話１００とのペアリングを完了する（Ｓ４１３）。
【００４９】
以上のように、機器の所有者の顔画像を認証情報として用いて携帯電話同士のペアリング処理が完了でき、双方で画像のやり取りなどが可能となる。上述のように、本実施形態では、顔画像を撮影して、顔画像の情報を送信するだけでペアリングが完了するため、ユーザは直感的な操作が可能となり、ユーザの利便性が向上する。
【００５０】
２．２  テレビと携帯電話間の連携動作
図６を用いて、テレビ３００と携帯電話１００、２００間の連携動作について説明する。図６は、本実施形態におけるテレビ３００と携帯電話１００、２００間の連携動作を説明したシーケンス図である。以下に説明する連携動作を実現するために、携帯電話１００、２００からテレビ３００に画像を送信し、テレビ３００上でそれらの画像を表示する機能を実現するソフトウェアである写真閲覧アプリケーションがテレビ３００において起動される必要がある。
【００５１】
テレビ３００（登録装置の一例）と携帯電話１００（第１の機器の一例）はペアリングが完了済みであるとする。テレビ３００と携帯電話１００のペアリングは従来の手法で行われていても良い。また、携帯電話１００には予めプロフィール登録が行われているものとする。
【００５２】
最初に、テレビ３００において写真閲覧アプリケーションが起動される（Ｓ５１０）。テレビ３００において写真閲覧アプリケーションが起動されると、テレビ３００はペアリング済みの携帯電話１００に対して写真閲覧アプリケーションの起動を通知し（Ｓ５１１）、それと共にテレビ３００の画面上に例えば「ゲストユーザは、ホストユーザの顔写真を撮影して下さい。」というメッセージを表示する。ここで、ゲストユーザは携帯電話２００の所有者であるユーザＢであり、ホストユーザは携帯電話１００の所有者であるユーザＡである。
【００５３】
携帯電話２００において携帯電話１００の所有者ユーザＡの顔画像が撮影される（Ｓ５１２）。携帯電話２００は、撮影した画像から顔情報を抽出し、ネットワーク上へブロードキャストしてその顔情報に一致するデータを保持する機器をサーチする（Ｓ５１３）。
【００５４】
携帯電話１００は、受信した顔情報が、登録されたプロフィール情報の内容と一致するか否かを判断する（Ｓ５１４）。携帯電話１００は、両者が一致する場合、テレビ３００に対する携帯電話２００のアクセスを許可するように、携帯電話２００の登録をテレビ３００に対して要請する（Ｓ５１５）。同時に、携帯電話１００は、携帯電話２００に対して、テレビ３００へのアクセスに必要な接続情報、ここでは一例として、テレビ３００のＵＲＬ（Ｕｎｉｆｏｒｍ  Ｒｅｓｏｕｒｃｅ  Ｌｏｃａｔｏｒ）を通知する（Ｓ５１７）。なお、携帯電話１００は、テレビ３００に対する携帯電話２００の登録の要請（Ｓ５１５）及び携帯電話２００へのテレビ３００のＵＲＬの通知（Ｓ５１７）の前に、携帯電話２００の所有者であるユーザＢに携帯電話２００をテレビ３００に登録してもよいか否かを確認するための確認画面を表示してもよい。そして、ユーザＢの登録する旨の意思を確認できた場合にのみ、携帯電話１００は、テレビ３００に対する携帯電話２００の登録の要請（Ｓ５１５）、及び携帯電話２００へのテレビ３００のＵＲＬの通知（Ｓ５１７）を行うようにしても良い。
【００５５】
テレビ３００は、携帯電話１００からの登録の要請を受けると、携帯電話２００を一時的に登録する（Ｓ５１６）。この登録により、携帯電話２００はテレビ３００へアクセスすることが可能となる。
【００５６】
携帯電話２００は、携帯電話１００からＵＲＬを受け取ると、テレビ３００へのアクセス許可が登録されたと判断し、テレビ３００へ表示する画像を準備する。具体的には、携帯電話２００の写真サーチ部２３０が、携帯電話２００内に記録している画像の中から、ステップＳ５１２で撮影した画像の顔情報と一致する顔情報を持つ画像を検索し（Ｓ５１８）、受信したＵＲＬを参照して、検索した画像を他の画像に優先してテレビ３００へ送信する（Ｓ５１９）。なお、テレビ３００へ送信する画像は、携帯電話２００において事前に撮影した画像の顔情報と一致する顔情報を持つ画像に限定されず、携帯電話２００が送信できる画像であれば、任意の画像でよい。
【００５７】
テレビ３００は、アクセスを許可している携帯電話１００や携帯電話２００から画像を受信すると、受信した画像を画面上へ表示する（Ｓ５２０、Ｓ５２１）。
【００５８】
携帯電話２００はテレビ３００において一時的に登録されていることから、テレビ３００において写真閲覧アプリケーションが終了されると、テレビ３００において、携帯電話２００の登録すなわち携帯電話２００のアクセス許可は取り消される。
【００５９】
３．まとめ
以上のように、本実施形態では、携帯電話１００は、個人の情報（例えば、テレビ３００の所有者の顔画像）を用いて携帯電話２００（被登録機器）の認証を行い、携帯電話２００の正当性が認められた場合に、テレビ３００（登録機器）に対して、携帯電話２００のアクセス許可の登録を指示する。これにより、ホストユーザのテレビに対してゲストユーザの携帯電話を簡単に一時的に登録でき、各ユーザが撮影した写真をテレビ上で互いに見せ合うことが容易に実現可能となるため、ユーザの使い勝手が向上する。また、終了時に一時登録を自動的に取り消すので、ゲストユーザのアクセス権が残ってしまうことを防止でき、安全性が向上する。
【００６０】
４．用語の対応
テレビ３００は登録装置の一例である。携帯電話１００は第１の機器、電子機器の一例である。携帯電話２００は第２の機器の一例である。顔画像または顔画像から抽出した顔情報は、個人に関する情報（すなわち、第１及び第２の情報）の一例である。電話番号またはメールアドレスも個人に関する情報の他の例である。
【００６１】
その他の実施の形態
以上、本発明の一実施形態について説明したが、本発明の思想は上記の実施の形態に限定されるものではない。以下に、本発明の思想の他の実施の形態について説明する。
【００６２】
（１）実施の形態１では、携帯電話２００が認証情報としてブロードキャストする情報として、撮影した画像から抽出した顔情報を用いたが、顔情報の代わりに、撮影した画像そのものを認証情報としてブロードキャストしてもよい。この場合、画像を受信した端末（携帯電話１００）が、画像から顔情報を抽出するようにする。さらに、この場合、画像を受信した端末（携帯電話１００）は、画像の撮影日時の情報を参照し、撮影日時が現在時よりも所定期間以上古い場合は、その画像の信頼性がないと判断し、プロフィール検索（Ｓ４０５、Ｓ５１４）を行わないようにしてもよい。
【００６３】
（２）または、認証情報として、ユーザＢの個人情報（メールアドレス、電話番号等）を携帯電話２００からブロードキャストしてもよい。この場合、携帯電話１００は、プロフィール情報としてユーザＢのメールアドレスや電話番号等を登録しておき、携帯電話２００から受信した個人情報に基づきプロフィールの検索を実行すればよい。
【００６４】
例えば、認証情報として電話番号を使用する場合、図６の手順の代わりに図７に示すような手順も考えられる。すなわち、携帯電話２００においてユーザＡの顔を撮影した（Ｓ６１２）後、携帯電話２００から携帯電話１００に電話発信する（Ｓ６１３）。携帯電話１００は携帯電話２００から電話を受けると、着信した電話番号に基づきプロフィール検索を行う（Ｓ６１４）。具体的には、携帯電話１００は、自己が管理するアドレス張に着信した電話番号が登録されているか否かを確認する。着信した電話番号がアドレス張に登録されていれば、プロフィールが登録されていると判断し、テレビ３００に携帯電話２００の登録を要請する（Ｓ６１５）。それとともに、携帯電話１００は、アドレス張において電話番号に関連づけられて登録されたメールアドレスを検索し、そのメールアドレスにテレビ３００のＵＲＬを送信する（Ｓ６１７）。携帯電話２００は、撮影した顔画像から抽出した顔情報と一致する画像を検索し（Ｓ６１８）、受信したＵＲＬに送信する（Ｓ６１９）。なお、送信する画像は、携帯電話２００において事前に撮影した画像の顔情報と一致する顔情報を持つ画像に限定されず、携帯電話２００が送信できる画像であれば、任意の画像でよい。
【００６５】
この場合、携帯電話２００は、携帯電話１００の電話番号を用いて、携帯電話１００へ電話発信していることから、認証情報として、携帯電話１００すなわちテレビ３００の所有者（ユーザＡ）の電話番号を使用していると考えられる。このような方法でも、テレビ３００（登録装置）の所有者（ユーザＡ）に関する情報を用いて、携帯電話２００（被登録機器）の認証を行うことができる。
【００６６】
（３）上記の実施の形態では、携帯電話１００と携帯電話２００とテレビ３００とは、ネットワーク（例えば、無線ＬＡＮ）を介して相互に接続したが、赤外線通信により、顔情報や画像データの送受信を行ってもよい。または、ＵＳＢメモリやＳＤカードのような着脱可能な記録媒体を介して顔情報や画像データの送受信を行ってもよい。
【００６７】
（４）上記の実施形態では、テレビ（登録装置）３００の所有者の個人情報（例えば、顔画像）を認証情報として用いたが、テレビ（登録装置）３００の所有者の個人情報の代わりに、テレビ（登録装置）３００に対して登録の許可を指示する権限のある人物の個人情報を用いてもよい。
【００６８】
（５）上記の実施形態においては、登録対象機器の一例として携帯電話を用いたが、登録対象機器は携帯電話に限定されず、無線通信機能を備えた電子機器であれば、登録対象機器になり得ることは言うまでもない。例えば、無線ＬＡＮ機能を備えたデジタルカメラがあるが、そのようなデジタルカメラも登録対象機器の１つである。
【産業上の利用可能性】
【００６９】
本発明は、デジタルカメラ、カメラ機能付き携帯電話、テレビ、レコーダ等のいわゆるデジタル家電機器における機器登録および写真閲覧アプリケーションに有用である。
【符号の説明】
【００７０】
１００  携帯電話
１０１  撮影部
１０２  プロフィール登録部
１０３  顔情報抽出部
１０４  顔情報認証部
１０５  送受信部
１１０  写真アプリ制御部
１２０  テンポラリアクセス制御部
２００  携帯電話
２０１  撮影部
２０３  顔情報抽出部
２０４  顔情報認証部
２０５  送受信部
２１０  写真アプリ制御部
２３０  写真サーチ部
３００  テレビ
【図１】
0005469628.tif 000002
【図２】
0005469628.tif 000003
【図３】
0005469628.tif 000004
【図４】
0005469628.tif 000005
【図５】
0005469628.tif 000006
【図６】
0005469628.tif 000007
【図７】
0005469628.tif 000008